(57)【要約】【課題】様々な形状のキーヘッドを挟持し固定してキーを保持すると共に施錠方向を検出する低価格の施錠センサ付キーホルダーを提供すること。【解決手段】施錠センサ付キーホルダーは、内部に第１弾性板部材３３が配置された第１硬質ケース３１と内部に第２弾性板部材３４が配置された第２硬質ケース３２とでキーヘッド１Ａｂを挟持し固定してキー１Ａを保持したキーホルダーである。第１弾性板部材３３の裏面には第１半導体ストレンゲージＲ１と第２半導体ストレンゲージＲ２が貼り付けられ、第２弾性板部材３４の裏面には第３半導体ストレンゲージＲ３と第４半導体ストレンゲージＲ４が貼り付けられて構成されたものである。これら半導体ストレンゲージＲ１〜Ｒ４は抵抗ブリッジ回路を構成し、施錠出力又は解錠出力を発生する。【選択図】　　　　　図４
2004100368.tif 000002
【特許請求の範囲】
【請求項１】
内部に第１弾性板部材が配置された第１硬質ケースと内部に第２弾性板部材が配置された第２硬質ケースとでキーヘッドを挟持し固定してキーを保持するキーホルダーであって、前記第１弾性板部材と前記第２弾性板部材はいずれもキーヘッドの形状に対応して変形できる程度の弾性を有する部材であることを特徴とするキーホルダー。
【請求項２】
内部に第１弾性板部材が配置された第１硬質ケースと内部に第２弾性板部材が配置された第２硬質ケースとでキーヘッドを挟持し固定してキーを保持すると共に施錠センサとして機能するキーホルダーであって、前記第１弾性板部材と前記第２弾性板部材はいずれもキーヘッドの形状に対応して変形できる程度の弾性を有する部材であること、前記第１弾性板部材の裏面には第１半導体ストレンゲージ並びに第２半導体ストレンゲージが配置され且つ前記第２弾性板部材の裏面には第３半導体ストレンゲージ並びに第４半導体ストレンゲージが配置されていること、及び前記半導体ストレンゲージは前記施錠センサの抵抗ブリッジ回路を形成するものであることを特徴とするキーホルダー。
【請求項３】
前記第１硬質ケースと第２硬質ケースはいずれもプラスチックで形成されていることを特徴とする請求項１又は２のキーホルダー。
【請求項４】
前記第１硬質ケースと第２硬質ケースの一方には嵌合突起が形成され、且つ他方には前記嵌合突起と嵌合する嵌合穴が形成されていることを特徴とする請求項１又は２のキーホルダー。
【発明の詳細な説明】
【０００１】
【発明の属する技術分野】
本発明は、点検確認支援装置等に適用できるキーホルダーであってキーヘッドを挟持し固定してキーを保持するキーホルダー、及び、キーヘッドを挟持し固定してキーを保持すると共に施錠方向を検出する施錠センサ付キーホルダーに関する。
【０００２】
【従来の技術】
【特許文献１】特開平９−２０９６２５号公報
【特許文献２】特開平３−８１４７８号公報
【特許文献３】特開平１０−２３８１８０号公報
【特許文献４】特許第３３１２９００号公報
【０００３】
特許文献１には、第１硬質ケースと第２硬質ケースとでキーヘッドを挟持し固定してキーを保持するキーホルダーが開示されている。前記第１硬質ケースと第２硬質ケースはいずれも合成樹脂製であって、両者は接着、熱溶着或いはねじ止め等の結合手段により市販の鍵のキーヘッドを挟持した状態で一体に結合されている。また、前記第１硬質ケースと第２硬質ケースの一方のキーヘッド挟持面には、挟持するキーヘッドに合わせた形状の凹部が形成されている。
【０００４】
特許文献２には、キーヘッド収納室を備えた平板状のキーホルダーが開示されている。前記キーヘッド収納室は、前記平板状のキーホルダーを前後方向に貫通するように形成された断面矩形の貫通穴であり、キーヘッドを前後方向から選択的に差込むことができるようになっている。前記貫通穴の四隅には、差込まれたキーヘッドの抜け止め用ストッパが突出形成されている。
【０００５】
また、特許文献２には、前記中空のキーヘッド収納室を備えた平板状のキーホルダーに取付けられて構成された電子式施錠確認装置が開示されている。前記電子式施錠確認装置は、前記平板状のキーホルダーの表面に軸対称にして２個づつ配置された合計４個の感圧スイッチであって、キーヘッドの施錠又は解錠方向の操作力を検出して検出信号を発生する感圧スイッチと、制御部と、デジタル表示部とを含む。前記制御部は、前記感圧スイッチから入力された検出信号から施錠方向か解錠方向かの判定を行い、且つ施錠又は解錠の表示と共に操作時刻を前記デジタル表示部に表示させる。
【０００６】
特許文献３には、キーヘッド収納室を備えた平板状の中空内ケースと、前記中空内ケースを収納する平板状の中空外ケースとの２個のケースとで構成された二重中空ケース型キーホルダーが開示されている。前記キーヘッド収納室は、前記中空内ケースを前後方向に貫通するように形成された断面矩形の貫通穴である。前記中空外ケースは、正面にキー本体が貫通する窓が形成されて、且つ背面は前記中空内ケースより僅かに大きな開口が形成されている。キーヘッドが収納された前記中空内ケースは前記開口から挿入されて前記中空外ケースに収納される。そして前記開口は蓋によって封止される。このようにして、キーはキーヘッドを固定して二重中空ケース型キーホルダーに保持される。
【０００７】
特許文献４には、利用者の施錠行為を検出して火の始末や戸締まりなどの防災・防犯のメッセージやマークを液晶パネルに表示し、外出時の安全点検を確実に行えるように利用者を支援する点検確認支援装置が開示されている。前記利用者の施錠行為はキー出し入れセンサで検出される。キー出し入れセンサがキー取り出し信号を発生すると、点検確認支援装置は防災・防犯のメッセージやマークを液晶パネルに表示する。キー出し入れセンサがキー戻し信号を発生すると、点検確認支援装置はその時の現在時刻を施錠時刻として記憶し液晶パネルに表示する。記憶された施錠時刻は必要な時に確認ボタンで再表示される。この点検確認支援装置は、施錠のみを確認する施錠確認支援装置としても機能する。
【０００８】
ところで、市販されているキーは多種多様である。キーヘッドの形状は代表的な角型と丸型の他に様々な形状がある。また、キーヘッドの厚みも平面の面積も様々である。このため、多種多様なキーヘッドを収納し固定するためには、上述の従来のキーホルダーは何種類ものサイズを用意する必要がある。その構造上、標準サイズのキーホルダーで何種類ものキーのキーヘッドを収納し固定することは不可能であるからである。従って、上述の従来のキーホルダーに取付けて構成される施錠確認装置もキーヘッドのサイズに対応して何種類も用意にしなければならないので、装置は高価格になるという問題がある。
【０００９】
【発明が解決しようとする課題】
本発明が解決しようとする第１の課題は、様々な形状のキーヘッドを挟持し固定してキーを保持する構造が簡単なキーホルダーを提供することである。
【００１０】
本発明が解決しようとする第２の課題は、様々な形状のキーヘッドを挟持し固定してキーを保持すると共に施錠方向を検出する低価格の施錠センサ付キーホルダーを提供することである。
【００１１】
【課題を解決するための手段】
上記第１の課題を解決するキーホルダーは、内部に第１弾性板部材が配置された第１硬質ケースと内部に第２弾性板部材が配置された第２硬質ケースとでキーヘッドを挟持し固定してキーを保持するキーホルダーであって、前記第１弾性板部材と前記第２弾性板部材はいずれもキーヘッドの形状に対応して変形できる程度の弾性を有する部材であることを特徴とするものである。そして、前記第１硬質ケースと第２硬質ケースはいずれもプラスチック、又は金属で形成されている。また、前記第１硬質ケースと第２硬質ケースの一方には嵌合突起が形成され、且つ他方には前記嵌合突起と嵌合する嵌合穴が形成されている。
【００１２】
上記第２の課題を解決する施錠センサ付キーホルダーは、内部に第１弾性板部材が配置された第１硬質ケースと内部に第２弾性板部材が配置された第２硬質ケースとでキーヘッドを挟持し固定してキーを保持すると共に施錠センサとして機能するキーホルダーであって、前記第１弾性板部材と前記第２弾性板部材はいずれもキーヘッドの形状に対応して変形できる程度の弾性を有する部材であること、前記第１弾性板部材の裏面には第１半導体ストレンゲージ並びに第２半導体ストレンゲージが配置され且つ前記第２弾性板部材の裏面には第３半導体ストレンゲージ並びに第４半導体ストレンゲージが配置されていること、及び前記半導体ストレンゲージは前記施錠センサの抵抗ブリッジ回路を形成するものであることを特徴とする。そして、前記第１硬質ケースと第２硬質ケースはいずれもプラスチック、又は金属で形成されている。また、前記第１硬質ケースと第２硬質ケースの一方には嵌合突起が形成され、且つ他方には前記嵌合突起と嵌合する嵌合穴が形成されている。
【００１３】
【発明の実施の形態】
本発明に係るキーホルダー、即ち様々な形状のキーヘッドを挟持し固定してキーを保持するキーホルダーは、主として点検確認支援装置に適用されるものである。点検確認支援装置は、利用者の施錠行為を検出して火の始末や戸締まりなどの防災・防犯のメッセージやマークを液晶パネルに表示し、外出時の安全点検を確実に行えるように利用者を支援する装置である。本発明に係るキーホルダーを備えた点検確認支援装置は、施錠センサ付キーホルダーを備えた点検確認支援装置と施錠センサが付かないキーホルダーを備えた点検確認支援装置に大別される。
【００１４】
施錠センサ付キーホルダーを備えた点検確認支援装置は、キーホルダーと携帯ケースが常に結合されている非分離型点検確認支援装置である。また、施錠センサが付かないキーホルダーを備えた点検確認支援装置には、キーホルダーと携帯ケースが常に結合されている非分離型点検確認支援装置と、キーホルダーと携帯ケースが携帯時には結合され且つ施解錠時には分離される分離型点検確認支援装置がある。
【００１５】
非分離型点検確認支援装置を構成する非分離型キーホルダーは、偏心回転型キーホルダー、回転型キーホルダー、折畳み型キーホルダー、スライド型キーホルダーと多様である。
【００１６】
（施錠センサ付キーホルダーを備えた点検確認支援装置）
図１にブロック回路図で示す点検確認支援装置は、施錠センサ付キーホルダーと携帯ケースとから構成された非分離型点検確認支援装置であって、電子時計が設置された携帯ケース２と、抵抗ブリッジ回路を形成する半導体ストレンゲージが取り付けられたキーホルダー３とから構成されている。
【００１７】
前記電子時計は、プログラムに従って各種の演算と制御を行うＣＰＵ１１、前記プログラムと各種メッセージ情報等が記憶されたＲＯＭ１２、施錠時刻等が記憶されるＲＡＭ１３、基準周波数を発生する発振回路１４、基準周波数を計時用周波数に分周する分周回路１５、計時用周波数に基づいて時刻を計時する計時回路１６、表示器駆動回路１７及び液晶表示器１８とから構成されている。前記携帯ケース２には、キー出し入れセンサ２０と確認スイッチ２３も設置されている。
【００１８】
前記施錠センサは、第１半導体ストレンゲージＲ１、第２半導体ストレンゲージＲ２、第３半導体ストレンゲージＲ３及び第４半導体ストレンゲージＲ４から形成された抵抗ブリッジ回路２６と、抵抗ブリッジ回路２６の出力電圧を増幅し波形整形して施錠信号Ｓ３又は解錠信号Ｓ４を発生する施解錠信号生成回路２７と、抵抗ブリッジ回路２６に定電流を供給する定電流回路ＣＣＳとから構成されている。施錠センサは抵抗ブリッジ回路２６を含んで構成されているので、高感度で且つ高信頼性のセンサである。
【００１９】
ＲＯＭ１２には、ＣＰＵ１１の制御プログラム等が記憶されたプログラム記憶部１２ａ、各種メッセージが記憶されたメッセージ情報記憶部１２ｂが含まれている。また、ＲＡＭ１３には施錠時刻記憶部１３ａが含まれている。施錠時刻記憶部１３ａに記憶される施錠時刻は、利用者が施錠した時刻である。通常は、施錠信号Ｓ３がＣＰＵ１１に入力されたときに計時回路１６が計時している現在時刻が施錠時刻として記憶される。
【００２０】
次に、本発明に係るキーホルダーの実施形態を説明する。図１の点検確認支援装置を構成する施錠センサ付キーホルダーは、図２の斜視図と図３の縦断面図に示す如く、内部に第１弾性板部材３３が配置された第１硬質ケース３１と内部に第２弾性板部材３４が配置された第２硬質ケース３２とでキーヘッド１Ａｂを挟持し固定してキー１Ａを保持したキーホルダーであって、図４の横断面図に示す如く、第１弾性板部材３３の裏面に第１半導体ストレンゲージＲ１と第２半導体ストレンゲージＲ２が貼り付けられ、第２弾性板部材３４の裏面に第３半導体ストレンゲージＲ３と第４半導体ストレンゲージＲ４が貼り付けられて構成されたものである。これらの半導体ストレンゲージＲ１〜Ｒ４は抵抗ブリッジ回路２６を形成している。
【００２１】
第１硬質ケース３１は、図６（Ａ）の斜視図に示す如く、裏面にキーヘッド収納用凹部が形成された角型ケースである。第２硬質ケース３１は、図６（Ｂ）の斜視図に示す如く、裏面にキーヘッド収納用凹部が形成された角型ケースである。第１硬質ケース３１と第２硬質ケース３２は基本的には形状とサイズが同じである。但し、結合用の嵌合突起３７ａは第１硬質ケース３１の裏面の四隅に形成されており、嵌合突起３７ａが嵌まり合う嵌合穴３７ｂは第２硬質ケース３２の裏面の四隅に形成されている。切り欠き溝３１ａと３２ａは、第１硬質ケース３１と第２硬質ケース３２の裏面の正面側外縁に夫々形成されている。切り欠き溝３１ａと３２ａは、第１硬質ケース３１と第２硬質ケース３２がキーヘッドを挟持して一体に結合されたときに、キー本体貫通穴３ａを形成する。第１硬質ケース３１と第２硬質ケース３２はいずれも、プラスチック成形によって製造される。
【００２２】
第１弾性板部材３３と第２弾性板部材３４はいずれも、キーヘッドの形状に対応して変形できる程度の弾性を有する部材、例えば軟質ゴム製板部材である。代表的なキーは、図５に示す如く、キー本体１Ａａと角型キーヘッド１Ａｂとを有する角型キー１Ａと、キー本体１Ｂａと丸型キーヘッド１Ｂｂとを有する丸型キーである。他にもクローバー型キーヘッドや台形型キーヘッド等、様々な形状のキーヘッドが存在する。
【００２３】
このような様々なキーヘッド形状に対応して変形する第１弾性板部材３３と第２弾性板部材３４は、表面と裏面が共に平坦面の軟質ゴム製部材である。しかしながら、弾性材料の種類によっては表面と裏面の双方又は一方に凹みを設けたものが望ましい。例えば、図３の縦断面図と図６の斜視図に示す如く、表面は平坦面とし、且つ裏面の中央部を薄く外縁部を厚くして凹み３５を有するようにして第１弾性板部材３３を形成する。同様に、表面は平坦面とし、且つ裏面の中央部を薄く外縁部を厚くして凹み３６を有するようにして第１弾性板部材３４を形成する。厚くする外縁部は全周でなくてもいいが、少なくとも前後又は左右の外縁部である。
【００２４】
図３の縦断面図と図６の斜視図に示すものとは逆にして第１弾性板部材３３と第２弾性板部材３４を形成してもよい。即ち、裏面は平坦面とし、表面の中央部をキーヘッドの形状に概ね合うような凹みを有するようにして第１弾性板部材３３を形成する。同様に、裏面は平坦面とし、表面の中央部をキーヘッドの形状に概ね合うような凹みを有するようにして第２弾性板部材３４を形成する。
【００２５】
更に、表面の中央部をキーヘッドの形状に概ね合うような凹みを、且つ裏面の中央部を薄く外縁部を厚くして凹みを有するようにして第１弾性板部材３３を形成する。同様に、表面の中央部をキーヘッドの形状に概ね合うような凹みを、且つ裏面の中央部を薄く外縁部を厚くして凹みを有するようにして第２弾性板部材３４を形成する。或いは、挟持されるキーヘッドの形状に合わせた型板を、前記凹みの代わりに用いてもよい。更にまた、第１弾性板部材３３と第２弾性板部材３４は、弾性率の異なる２枚の弾性板部材を貼り合わせて形成してもよい。
【００２６】
第１弾性板部材３３に貼り付けられた第１半導体ストレンゲージＲ１と第２半導体ストレンゲージＲ２と、第２弾性板部材３４に貼り付けられた第３半導体ストレンゲージＲ３と第４半導体ストレンゲージＲ４は、図１に示す如く、抵抗ブリッジ回路２６を形成している。抵抗ブリッジ回路２６の出力電圧信号が入力されて、施錠信号Ｓ１と解錠信号Ｓ２を発生する施解錠信号生成回路２７は、市販の半導体集積回路等を利用して構成されている。抵抗ブリッジ回路２６も施解錠信号生成回路２７も、携帯電話機や電子腕時計などの小型携帯電子機器の回路配置技術や実装技術を用いてキーホルダー３に取付けられている。
【００２７】
要するに、本発明に係る施錠センサ付キーホルダーは、内部に第１弾性板部材３３が配置された第１硬質ケース３１と内部に第２弾性板部材３４が配置された第２硬質ケース３２とでキーヘッドを挟持し固定してキーを保持すると共に施錠センサとして機能するキーホルダーである。そして、第１弾性板部材３３と第２弾性板部材３４はいずれもキーヘッドの形状に対応して変形できる程度の弾性を有する部材であること、第１弾性板部材３３の裏面には第１半導体ストレンゲージＲ１並びに第２半導体ストレンゲージＲ２が配置され且つ第２弾性板部材３４の裏面には第３半導体ストレンゲージＲ３並びに第４半導体ストレンゲージＲ４が配置されていること、及びこれらの半導体ストレンゲージは施錠センサの抵抗ブリッジ回路２６を形成するものであることを特徴とするものである。
【００２８】
このように構成されたキーホルダー３を用いて利用者が施錠すると、第１半導体ストレンゲージＲ１はキーヘッド１Ａｂの上面の左端で、且つ第４半導ストレンゲージＲ４はキーヘッド１Ａｂの下面の右端で夫々押圧され、押圧力に対応して夫々の抵抗値を変化させる。すると、抵抗ブリッジ回路２６のバランスがくずれ、施錠を表すブリッジ出力電圧を発生する。この施錠を表す出力電圧に基づいて、施解錠信号生成回路２７は施錠信号Ｓ１を発生し、電子時計に入力する。
【００２９】
また、このように構成されたキーホルダー３を用いて利用者が解錠すると、第２半導体ストレンゲージＲ２はキーヘッド１Ａｂの上面の右端で、且つ第３半導体ストレンゲージＲ３はキーヘッド１Ａｂの下面の左端で夫々押圧されて夫々の抵抗値を変化させる。すると、抵抗ブリッジ回路２６は解錠を表すブリッジ出力電圧を発生し、施解錠信号生成回路２７は解錠信号Ｓ２を生成し、電子時計に入力する。
【００３０】
図１にブロック回路図で示す点検確認支援装置の動作は、次のようなものである。利用者が携帯ケース２からキー１Ｂを取出すとキー出し入れセンサ２０はこれを検出し、キー取出し信号Ｓ１を発生する。ＣＰＵ１１はキー取出し信号Ｓ１を検出すると、ＲＯＭ１２のメッセージ情報記憶部１２ｂに記憶されている点検確認催告メッセージ情報を読み出し、表示器駆動回路１７を制御して液晶表示器１８に点検確認催告メッセージ「カクニン」等の文字や、防災・防犯マークを表示させる。この点検確認の報知によって、利用者は防災・防犯の点検確認を行うことができる。
【００３１】
安全点検確認に続いて、利用者がキーをキーホールに差し込んで施錠すると、施解錠信号生成回路２７は施錠信号Ｓ３を発生する。すると、ＣＰＵ１１は計時回路１６が計時している現在時刻を施錠時刻ＴとしてＲＡＭ１３の施錠時刻記憶部１３ａに記憶させる。これに続いて、ＣＰＵ１１はＲＡＭ１３の施錠時刻記憶部１３ａから施錠時刻Ｔを読み出し、表示器駆動回路１７を制御して液晶表示器１８に表示させる。この施錠時刻の表示によって、利用者は施錠行為、防災・防犯の点検確認行為を行ったことを意識し、脳裏に明瞭に記憶することができる。従って、利用者は火の始末・戸締まりをしたか否か思い出せず不安になることが解消される。勿論、この点検確認支援装置を利用することによって、利用者は火の始末・戸締まりを確実に行えるようになる。
【００３２】
（施錠センサが付かないキーホルダーを備えた点検確認支援装置）
次に、本発明に係るキーホルダーであって、施錠センサが付かないキーホルダーを備えた点検確認支援装置は、図７にブロック回路図で示す如く、プログラムに従って各種の演算と制御を行うＣＰＵ１１、前記プログラムと各種メッセージ情報等が記憶されたＲＯＭ１２、施錠時刻等が記憶されるＲＡＭ１３、基準周波数を発生する発振回路１４、基準周波数を計時用周波数に分周する分周回路１５、計時用周波数に基づいて時刻を計時する計時回路１６、表示器駆動回路１７及び液晶表示器１８とからなる電子時計と、キー出し入れセンサ２０と、確認スイッチ２３とから構成されている。
【００３３】
次に、本発明に係るキーホルダーであって、施錠センサが付かないキーホルダーを備えた点検確認支援装置の構成について、図８〜図１３を参照して以下に詳細に説明する。
【００３４】
先ず、施錠センサが付かない分離型キーホルダーと携帯ケースとで構成された分離型点検確認支援装置は、図８に示す如く、施錠時には分離型キーホルダー３が携帯ケース２から分離され、且つ携帯時には分離型キーホルダー３がキー本体を収納して携帯ケース２に一体に結合されるものである。分離型キーホルダー３はそのキーヘッドを固定してキー１Ａを保持するキーホルダーである。携帯ケース２には、図９に示す如く、ＣＰＵ、ＲＯＭ、ＲＡＭ等の電子部品からなる電子回路部４、液晶表示部１８、電池５、キーケース４０が収納され或いは取り付けられている。キーケース４０には導電性板バネの可動接点４１、固定接点４２、及び保持用板バネ４３が配置されている。可動接点４１と固定接点４２は、キー出し入れセンサ２０の構成部材である。
【００３５】
携帯時には、キー１Ａは導電性板バネの可動接点４１と保持用板バネ４３によってそのキー本体１Ａａが挟持され、これによって分離型キーホルダー３は携帯ケース２にしっかりと結合されている。施錠時には、図８（Ｂ）に示す如く、分離型キーホルダー３は携帯ケース２から分離され、キー１Ａはキーケース４０から引き抜かれる。すると、可動接点４１と固定接点４２は接触し、キー出し入れセンサはキー出し入れ信号を発生する。このキー出し入れ信号に基づいて、その電子回路部４のＣＰＵは液晶表示器１８に点検確認メッセージを表示する。
【００３６】
次に、施錠センサが付かない非分離型キーホルダーと携帯ケースとで構成された非分離型点検確認支援装置は、施錠時にはキー本体が携帯ケースの外に露出し、携帯時にはキー本体が携帯ケースの中に収納されるものである。非分離型点検確認支援装置を構成する非分離型キーホルダーは、ピボットによって携帯ケースに結合される偏心回転型キーホルダー、シャフトによって携帯ケースに結合される回転型キーホルダー、ヒンジによって携帯ケースに結合される折り畳み型キーホルダー、及び携帯ケース内を前後に直線移動できるように結合されるスライド型キーホルダーの４種類がある。
【００３７】
先ず、偏心回転型キーホルダーを備えた点検確認支援装置は、図９に示す如く、偏心回転型キーホルダー３がキーケース４０に偏心回転するようにピボットで結合されたものである。なお、キーケース４０は図示しない別体の携帯ケースに収納されるか、又は携帯ケースとして用いられるものである。キー出し入れセンサを構成する可動接点４１と固定接点４２は、キーケース４０の下側の側面に配置されている。３８ａはピボット４４と係合するピボット孔、３８ｂはストッパ用孔、４５はストッパ用孔３８ｂと係合するストッパ用凸部である。
【００３８】
携帯時には、図１０（Ａ）に示す如く、偏心回転型キーホルダー３はキー本体と共にキー収納室４０ｃ内に収納され、且つ、可動接点４１はキー１Ｂのキー本体によって押圧され固定接点４２と接触している。施錠時には、偏心回転型キーホルダー３をピボット４４の回りに時計方向に回転させ、携帯ケースの外にキー本体を突出させると図１０（Ｂ）の如くとなり、可動接点４１は固定接点４２から離れる。このようにして、可動接点４１は偏心回転型キーホルダー３に固定されているキー１Ｂのキー本体によって操作される。従って、キー出し入れセンサはキーが携帯ケースから取り出されたこと、又は携帯ケースに戻されたことを検出し、キー出し入れ信号を発生する。
【００３９】
次に、回転型キーホルダーを備えた点検確認支援装置は、図１１に示す如く、回転型キーホルダー３がキーケース４０に軸回転するように回転軸で結合されたものである。なお、キーケース４０は別体の携帯ケースに収納されるか、又は携帯ケースとして用いられるものである。キー出し入れセンサを構成する可動接点４１と固定接点４２は、キーケース４０内の上側壁面に配置されている。３８ｃと３８ｄはストッパ用孔である。
【００４０】
携帯時には、図１１（Ａ）に示す如く、回転型キーホルダー３はキー本体と共にキー収納室４０ｃ内に収納され、且つ、可動接点４１はキー１Ｂのキー本体によって押圧され固定接点４２と接触している。施錠時には、回転型キーホルダー３を回転軸３９の回りに時計方向に回転させ、携帯ケースの外にキー本体を突出させると図１１（Ｂ）の如くとなり、可動接点４１は固定接点４２から離れる。このようにして、可動接点４１はキーホルダー３に固定されているキー１Ｂのキー本体によって操作される。従って、キー出し入れセンサはキーが携帯ケースから取り出されたこと、又は携帯ケースに戻されたことを検出し、キー出し入れ信号を発生する。
【００４１】
次に、折り畳み型キーホルダーを備えた点検確認支援装置は、図１２に示す如く、折り畳み型キーホルダー３がキーケース４０にヒンジ４７ａで結合されたものである。キーケース４０は蓋４０ａと電子回路部等収納ケース４０ｂとによって構成されている。蓋４０ａは電子回路部等収納ケース４０ｂの左端にヒンジ４７ｂによって結合され、これによって蓋４０ａと電子回路部等収納ケース４０ｂはキー収納室４０ｃを構成している。また、折り畳み型キーホルダー３はヒンジ４７ａによって電子回路部等収納ケース４０ｂの右端に結合されている。キー出し入れセンサを構成する可動接点４１と固定接点４２は、キー収納室４０ｃを構成している電子回路部等収納ケース４０ｂの内側上面に配置されている。
【００４２】
携帯時には、図１２（Ａ）に示す如く、折り畳み型キーホルダー３はキー本体と共にキー収納室４０ｃ内に収納され、且つ、可動接点４１はキー１Ｂのキー本体によって押圧され固定接点４２と接触している。施錠時には、蓋４０ａを反時計方向に回転して開け、且つ、折り畳み型キーホルダー３を時計方向に回転して携帯ケースの外にキー本体を突出させる。次いで蓋４０ａを時計方向に回転して閉じると、図１２（Ｂ）の如くとなり、可動接点４１は固定接点４２から離れる。このようにして、可動接点４１は折り畳み型キーホルダー３に固定されているキー１Ｂのキー本体によって操作される。従って、キー出し入れセンサはキーが携帯ケースから取り出されたこと、又は携帯ケースに戻されたことを検出し、キー出し入れ信号を発生する。
【００４３】
更に、スライド型キーホルダーを備えた点検確認支援装置は、図１３に示す如く、スライド型キーホルダー３がキーケース４０内を前後にスライドするように結合されたものである。キーケース４０は図示しない別体の携帯ケースに収納されるか、又は携帯ケースとして用いられるものである。キー１Ｂが固定されたスライド型キーホルダー３は、その側面に形成されたつまみ４８によって、キーケース４０内を前後に移動させられる。キー出し入れセンサを構成する可動接点４１と固定接点４２は、キーケース４０の奥に配置されている。
【００４４】
携帯時には、図１３（Ａ）に示す如く、スライド型キーホルダー３はキー本体と共にキー収納室４０ｃ内に収納され、且つ、可動接点４１はスライド型キーホルダー３の後側面によって押圧され固定接点４２と接触している。施錠時には、キー１Ｂが固定されたスライド型キーホルダー３をキー収納室４０ｃ内を前方に移動させ、携帯ケースの外にキー本体を突出させると図１３（Ｂ）の如くとなり、可動接点４１は固定接点４２から離れる。このようにして、可動接点４１はキーホルダー３によって操作される。従って、キー出し入れセンサはキーが携帯ケースから取り出されたこと、又は携帯ケースに戻されたことを検出し、キー出し入れ信号を発生する。
【００４５】
図７にブロック回路図で示す施錠センサが付かないキーホルダーを備えた点検確認支援装置の動作は、次のようなものである。利用者が携帯ケース２からキー１Ｂをキー収納部から取出すとキー出し入れセンサ２０はこれを検出し、キー取出し信号Ｓ１を発生する。ＣＰＵ１１はキー取出し信号Ｓ１を検出するとＲＯＭ１２のメッセージ情報記憶部１２ｂに記憶されている点検確認催告メッセージ情報を読み出し、表示器駆動回路１７を制御して液晶表示器１８に点検確認催告メッセージ「カクニン」等の文字や、防災・防犯マークを表示させる。この点検確認の報知によって、利用者は防災・防犯の点検確認を行うことができる。
【００４６】
安全点検確認に続いて、利用者が施錠を終了し、キー１Ｂをキー収納部に戻すとキー出し入れセンサ２０はこれを検出し、キー戻し信号Ｓ２を発生する。ＣＰＵ１１はキー戻し信号Ｓ２を検出すると、計時回路１６が計時している現在時刻を施錠時刻ＴとしてＲＡＭ１３の施錠時刻記憶部１３ａに記憶させる。この施錠時刻Ｔの表示によって、利用者は施錠行為、防災・防犯の点検確認行為を行ったことを意識し、脳裏に明瞭に記憶することができる。従って、利用者は火の始末・戸締まりをしたか否か思い出せず不安になることが解消される。勿論、この点検確認支援装置を利用することによって、利用者は火の始末・戸締まりを確実に行えるようになる。
【００４７】
以上、図７〜図１３を参照して、施錠センサが付かない分離型キーホルダーと携帯ケースとから構成された分離型点検確認支援装置と、施錠センサが付かない非分離型キーホルダーと携帯ケースとから構成された非分離型点検確認支援装置の構成を説明した。施錠センサが付かない非分離型キーホルダーは、図２〜図５を参照して説明した施錠センサ付キーホルダーから、施錠センサを構成する半導体ストレンゲージＲ１〜Ｒ４を取り除いて構成したものである。即ち、内部に第１弾性板部材３３が配置された第１硬質ケース３１と内部に第２弾性板部材３４が配置された第２硬質ケース３２とでキーヘッドを挟持し固定してキーを保持するキーホルダーであって、第１弾性板部材３３と第２弾性板部材３４はいずれもキーヘッドの形状に対応して変形できる程度の弾性を有する部材であることを特徴とするキーホルダーである。
【００４８】
ところで、図１０〜図１３に示した非分離型点検確認支援装置を構成する施錠センサが付かない非分離型キーホルダー、即ち偏心回転型キーホルダー、回転型キーホルダー、折畳み型キーホルダー、スライド型キーホルダーは、いずれも施錠センサ付キーホルダーを容易に構成できる。非分離型キーホルダーを施錠センサ付キーホルダーとした場合、図１０〜図１３に示した非分離型点検確認支援装置の回路構成は当然ながら図１の如くとなる。要するに、図１０〜図１３に示した非分離型点検確認支援装置は、図１に示す回路構成の施錠センサ付キーホルダーを備えた点検確認支援装置にも、図６に示す回路構成の施錠センサが付かないキーホルダーを備えた点検確認支援装置にもなりうるのである。
【００４９】
【発明の効果】
本発明により、様々な形状のキーヘッドを挟持し固定してキーを保持するキーホルダーであって、構造が簡単なキーホルダーが提供された。また、本発明により、様々な形状のキーヘッドを挟持し固定してキーを保持すると共に施錠方向を検出する施錠センサ付キーホルダーであって、低価格の施錠センサ付キーホルダーが提供された。更に、本発明に係るキーホルダーを用いることによって、多様な点検確認支援装置を提供できるようになった。
【図面の簡単な説明】
【図１】施錠センサ付キーホルダーを備えた点検確認支援装置のブロック図である。
【図２】キーを保持した状態の本発明の一実施形態の施錠センサ付キーホルダーの斜視図である。
【図３】キーを保持した状態の本発明の一実施形態の施錠センサ付キーホルダーの縦断面図である。
【図４】キーを保持した状態の本発明の一実施形態の施錠センサ付キーホルダーの横断面図である。
【図５】代表的なキーの斜視図で、（Ａ）は角型キーの斜視図、（Ｂ）は丸型キーの斜視図である。
【図６】本発明の一実施形態のキーホルダーの分解斜視図で、（Ａ）は第１硬質ケースの斜視図、（Ｂ）は第２硬質ケースの斜視図である。
【図７】施錠センサが付かないキーホルダーを備えた点検確認支援装置のブロック図である。
【図８】分離型キーホルダーを備えた点検確認支援装置であって、（Ａ）は携帯時の斜視図、（Ｂ）は施解錠時の斜視図である。
【図９】携帯時に分離型キーホルダーが携帯ケースに結合された状態における点検確認支援装置の携帯ケースの縦断面図である。
【図１０】偏心回転型キーホルダーを備えた点検確認支援装置に採用されている携帯ケースの縦断面図であって、（Ａ）はその携帯時の縦断面図、（Ｂ）はその施解錠時の縦断面図である。
【図１１】回転型キーホルダーを備えた点検確認支援装置に採用されている携帯ケースの縦断面図であって、（Ａ）はその携帯時の縦断面図、（Ｂ）はその施解錠時の縦断面図である。
【図１２】折り畳み型キーホルダーを備えた点検確認支援装置に採用されている携帯ケースの縦断面図であって、（Ａ）はその携帯時の縦断面図、（Ｂ）はその施解錠時の縦断面図である。
【図１３】スライド型キーホルダーを備えた点検確認支援装置に採用されている携帯ケースの縦断面図であって、（Ａ）はその携帯時の縦断面図、（Ｂ）はその施解錠時の縦断面図である。
【符号の説明】
１Ａ　角型ヘッドのキー
１Ａａ　キー本体
１Ａｂ　キーヘッド
１Ｂ　丸型ヘッドのキー
１Ｂａ　キー本体
１Ｂｂ　キーヘッド
２　携帯ケース
３　キーホルダー
４　電子回路部
５　電池
１１　ＣＰＵ
１２　ＲＯＭ
１２ａ　プログラム記憶部
１２ｂ　メッセージ情報記憶部
１３　ＲＡＭ
１３ａ　施錠時刻記憶部
１４　発振回路
１５　分周回路
１６　計時回路
１７　表示器駆動回路
１８　液晶表示器
２０　キー出し入れセンサ
２３　確認スイッチ
２５　発光ダイオード
２６　抵抗ブリッジ回路
２７　施解錠信号生成回路
３１　第１硬質ケース
３１ａ　切り欠き溝
３２　第２硬質ケース
３２ａ　切り欠き溝
３３　第１弾性板部材
３４　第２弾性板部材
３５、３６　凹み
３７ａ　嵌合突起
３７ｂ　嵌合穴
３８ａ　ピボット孔
３８ｂ、３８ｃ、３８ｄ　ストッパ用係合穴
３９　回転軸
４０　キーケース
４０ａ　蓋
４０ｂ　電子回路部等収納ケース
４０ｃ　キー収納室
４１　導電性板バネの可動接点
４２　固定接点
４３　保持用板バネ
４４　ピボット
４５　ストッパ用凸部
４７ａ、４７ｂ　ヒンジ
４８　つまみ
Ｓ１　キー取り出し信号
Ｓ２　キー戻し信号
Ｓ３　施錠信号
Ｓ４　解錠信号
Ｓ５　再確認信号
【図１】
2004100368.tif 000003
【図２】
2004100368.tif 000004
【図３】
2004100368.tif 000005
【図４】
2004100368.tif 000006
【図５】
2004100368.tif 000007
【図６】
2004100368.tif 000008
【図７】
2004100368.tif 000009
【図８】
2004100368.tif 000010
【図９】
2004100368.tif 000011
【図１０】
2004100368.tif 000012
【図１１】
2004100368.tif 000013
【図１２】
2004100368.tif 000014
【図１３】
2004100368.tif 000015